(57)【要約】【課題】  管状イントロデューサーシースを提供する。【解決手段】  管状イントロデューサーシースは、有色ストライプを備えて、主に透明な材料で作られ、有色ストライプは、管状イントロデューサーシースの長さに沿って延在し、管状イントロデューサーシースの長手方向軸の周りを管状イントロデューサーシースの長さに沿って好ましくは渦を巻く。有色ストライプは、外から目視できるように十分に広く、かつ透明領域が管状イントロデューサーシースを通して目視点検を可能にするように十分に狭い、幅を有する。管状イントロデューサーシースの遠位端部分は更に先細であってもよい。【選択図】  図１
2014176651.tif 000002
【特許請求の範囲】
【請求項１】
血管内医療機器をカテーテルに挿入するための管状イントロデューサーシースであって、
近位端と、遠位端と、前記近位端と前記遠位端との間に延在する長さと、外側壁と、長手方向軸と、血管内医療機器が内部に取り外し可能に収容されるように構成される長手方向の内部通路と、を有する中空の細長い管状部材であって、前記外側壁は、主に実質的に透明な部分を有する、中空の細長い管状部材と、
前記中空の細長い管状部材の前記長さに沿って、前記中空の細長い管状部材の前記外側壁の前記実質的に透明な部分に埋め込まれた有色ストライプと、を含む、管状イントロデューサーシース。
【請求項２】
前記有色ストライプは、前記中空の細長い管状部材の周りを前記中空の細長い管状部材の前記長手方向軸に沿って渦を巻く、請求項１に記載の管状イントロデューサーシース。
【請求項３】
前記有色ストライプは、前記透明領域が前記管状イントロデューサーシースを通して目視点検を可能にするように十分に狭い幅を有する、請求項１に記載の管状イントロデューサーシース。
【請求項４】
前記中空の細長い管状部材の遠位端部分は先細である、請求項１に記載の管状イントロデューサーシース。
【請求項５】
血管内医療機器をカテーテルに挿入するためのシステムであって、
近位端と、遠位端と、前記近位端と前記遠位端との間に延在する長さと、外側壁と、長手方向軸と、長手方向の内部通路と、を有する中空の細長い管状イントロデューサーシースであって、前記外側壁は、主に実質的に透明な部分を有する、中空の細長い管状イントロデューサーシースと、
前記中空の細長い管状イントロデューサーシースの前記長さに沿って、前記中空の細長い管状イントロデューサーシースの前記外側壁の前記実質的に透明な部分に埋め込まれた有色ストライプと、
前記中空の細長い管状イントロデューサーシース内に取り外し可能に配置された血管内医療機器と、を含む、システム。
【請求項６】
前記有色ストライプは、前記中空の細長い管状部材の周りを前記中空の細長い管状イントロデューサーシースの前記長手方向軸に沿って渦を巻く、請求項５に記載のシステム。
【請求項７】
前記有色ストライプは、前記透明領域が前記中空の細長い管状イントロデューサーシースを通して目視点検を可能にするように十分に狭い幅を有する、請求項５に記載のシステム。
【請求項８】
前記中空の細長い管状イントロデューサーシースの遠位端部分は先細である、請求項５に記載のシステム。
【発明の詳細な説明】
【技術分野】
【０００１】
本発明は、全般的には、脈管構造内の欠損の介入的治療処置又は欠損を処置するための血管手術用の機器に関し、より具体的には、例えば、動脈瘤の処置用の血管内医療機器を送達するシステム及び方法に関する。
【背景技術】
【０００２】
血管内医療機器をカテーテルの近位ハブに挿入する（機器はカテーテルを通って進むことが意図される）とき、使用者が首尾よく終了することが困難であり得る重要な工程がある。機器が管状イントロデューサーシース内に封入されている間、混乱又は損傷していないことを確実にするために、使用者が機器を目視で点検できることが重要である。機器がカテーテルのルーメンに直接押し込まれるように、使用者が、イントロデューサーシースをカテーテルの近位ハブの先細りの開口部の底までずっと挿入することも重要である。しかしながら、全体が透明な材料で作られたイントロデューサーシースを使用するとき、イントロデューサーシースがハブの先細りの開口部の底までずっと挿入されたかどうか分かりにくい。血管内治療は、「食塩水でフラッシュ」して（カテーテルとハブとが水で充填される）典型的には行われるので、透明な材料で作られたイントロデューサーは水中に没するとき、見えなくなる傾向があり、端部を見分けることが非常に困難である。
【０００３】
この問題を解決する１つの試みは、イントロデューサーシースの全材料に着色剤を加え、一種の「色合いがついた」外観にすることを必要とする。これは、イントロデューサーシースの端部を検出する能力を高めるが、イントロデューサーシースを通して機器を点検する使用者の能力を損なう。実際、２つの要件は直接競合する。点検がより容易になれば、イントロデューサーシースの検出がより困難になり、その逆も然りである。
【０００４】
この問題を解決する別の試みは、イントロデューサーシースに着色された先端を加えることを必要とする。これは、点検するためにイントロデューサーシースの大部分を透明にしたまま、検出するために遠位部分を着色する。このアプローチは、２つの要件の競合状態を取り除くが、先端が分離してしまう新しいリスク、及びイントロデューサーシース本体につける個別の先端を製造する更なるコストが加わる。
【発明の概要】
【発明が解決しようとする課題】
【０００５】
イントロデューサーシースの遠位端がハブの先細りの開口部の底までずっと挿入されたかどうかを、特に湿潤環境で、使用者が判定することができ、血管内機器を使用する前にイントロデューサーシース内に配置された血管内機器を使用者が目視で点検することができる、管状イントロデューサーシースを提供することが望ましいであろう。イントロデューサーシースを回転させて血管内機器を点検しなくても、対象の特徴が見えるようにイントロデューサーシースを軸方向に摺動させることにより、イントロデューサーシース内のそのような血管内機器の任意の対象の特徴を、使用者が目視で点検することができる、管状イントロデューサーシースを提供することも望ましいであろう。本発明はこれら及び他の必要性を満たす。
【課題を解決するための手段】
【０００６】
簡潔及び概略的には、本発明は、主に透明な材料で作られる管状イントロデューサーシースを、管状イントロデューサーシースの長さに沿って延在し、本発明の好ましい態様では、管状イントロデューサーシースの長手方向軸の周りを管状イントロデューサーシースの長さに沿って渦を巻く有色ストライプを備えて、提供する。
【０００７】
本発明は、したがって、血管内医療機器をカテーテルに挿入するための管状イントロデューサーシースを提供する。本発明の好ましい実施形態では、管状イントロデューサーシースは、主に実質的に透明な部分を備えた外側壁を有する中空の細長い管状部材、及び中空の細長い管状部材の長さに沿って、中空の細長い管状部材の外側壁の実質的に透明な部分に埋め込まれた有色ストライプを含む。本発明の好ましい態様では、有色ストライプは、中空の細長い管状部材の周りを中空の細長い管状部材の長手方向軸に沿って渦を巻く。本発明の別の好ましい態様では、有色ストライプは、透明領域が管状イントロデューサーシースを通して目視点検を可能にするように十分に狭い幅を有する。本発明の別の好ましい態様では、中空の細長い管状部材の遠位端部分は先細である。
【０００８】
本発明は更に、主に実質的に透明な部分を備えた外側壁を有する中空の細長い管状イントロデューサーシースと、中空の細長い管状イントロデューサーシースの長さに沿って、中空の細長い管状イントロデューサーシースの外側壁の実質的に透明な部分に埋め込まれた有色ストライプと、中空の細長い管状イントロデューサーシース内に取り外し可能に配置された血管内医療機器と、を含む、血管内医療機器をカテーテルに挿入するためのシステムを提供する。本発明の好ましい態様では、有色ストライプは、中空の細長い管状イントロデューサーシースの周りを中空の細長い管状イントロデューサーシースの長手方向軸に沿って渦を巻く。本発明の別の好ましい態様では、有色ストライプは、透明領域が中空の細長い管状イントロデューサーシースを通して目視点検を可能にするように十分に狭い幅を有する。中空の細長い管状イントロデューサーシース内の機器をイントロデューサーシースの透明部分を通して点検することは、中空の細長い管状イントロデューサーシースを回転させて機器を点検する必要なしに、対象の特徴が有色ストライプでふさがれないようにイントロデューサーシースを軸方向に摺動させることで容易に行われる。本発明の別の好ましい態様では、中空の細長い管状イントロデューサーシースの遠位端部分は先細である。
【０００９】
本発明の他の特徴及び利点は、例として本発明の操作を例示する添付図面と共に以下の好ましい実施形態の詳細な説明から、より明らかとなるであろう。
【図面の簡単な説明】
【００１０】
【図１】本発明によるストライプのある管状ステントイントロデューサーシースの側面図である。
【図２】図１の線２−２に沿った断面図である。
【図３】図１のストライプのある管状ステントイントロデューサーシースのバリエーションの側面図である。
【図４】図３の線４−４に沿った断面図である。
【発明を実施するための形態】
【００１１】
限定するものではなく、あくまでも例として提供される図面を参照して、本発明は、血管内医療機器１２をカテーテル（図示せず）内に挿入するための管状イントロデューサーシース１０を提供する。管状イントロデューサーシースは、近位端１６、遠位端１８、及び近位端と遠位端との間に延在する長さ２０を有する中空の細長い管状部材１４として好ましくは形成される。管状イントロデューサーシースは、外側壁２２、長手方向軸２４、及び血管内医療機器をカテーテルに挿入するために、血管内医療機器が内部に取り外し可能に収容されるように構成される長手方向の内部通路２６を含む。
【００１２】
本発明の好ましい態様では、管状イントロデューサーシースは、主に透明な材料、例えば、透明なプラスチック材料又は高分子材料、例えば、ポリテトラフルオロエチレン（ＰＴＦＥ）又はポリカーボネートで作られ、例えば、透明な部分２８は、中空の細長い管状部材の長さに沿って、中空の細長い管状部材の外側壁に埋め込まれた有色ストライプ３０と共に形成される。
【００１３】
有色ストライプは、管状イントロデューサーシースの長手方向軸に沿って渦を巻いたように好ましくは形成される。管状イントロデューサーシースの押出成形中に、円周の離散的な扇形が有色材料の流れによって置き換えられる。押出成形が進行するにつれて、有色材料のストライプが管の周囲をたどって進むように材料が回転する。ストライプの幅は、外から目視できるように十分に広く、かつ管状イントロデューサーシースの透明部分が、管状イントロデューサーシースの透明部分を通して管状イントロデューサーシース内に配置された血管内医療機器の目視点検を可能にするように十分に狭く、好ましくは形成される。有色ストライプが存在することで、管状イントロデューサーシースの端部が、ハブの先細りの開口部の底までずっと挿入されているかどうかを使用者が判定するのを助ける。
【００１４】
本発明の別の好ましい態様では、１つのバリエーションにおいて、管状イントロデューサーシースの遠位端部３２は、例えば、血管内医療機器がカテーテルのハブを通ってカテーテルに挿入されてもよいそのカテーテルのハブの内部テーパー形状と一致するように、先細になり得る。
【００１５】
図面に例示するように、サンプル機器が渦巻きストライプの付いたイントロデューサーシース内にあるとき、イントロデューサーシースの端部は、有色ストライプの終端によって明白に示される。機器をイントロデューサーシースの透明部分を通して点検することは、対象の特徴がストライプでふさがれないようにイントロデューサーシースを軸方向に摺動させることで容易に行われ、イントロデューサーシースを回転させて機器の点検をする必要がない。
【００１６】
上述の内容から、本発明の具体的な形態が図示され説明されているが、本発明の趣旨及び範囲を逸脱することなく、様々な修正が可能であることは明らかとなる。したがって、本発明は、「添付の特許請求」の範囲によるものを除き、限定されないことが意図されている。
【００１７】
〔実施の態様〕
（１）  血管内医療機器をカテーテルに挿入するための管状イントロデューサーシースであって、
近位端と、遠位端と、前記近位端と前記遠位端との間に延在する長さと、外側壁と、長手方向軸と、血管内医療機器が内部に取り外し可能に収容されるように構成される長手方向の内部通路と、を有する中空の細長い管状部材であって、前記外側壁は、主に実質的に透明な部分を有する、中空の細長い管状部材と、
前記中空の細長い管状部材の前記長さに沿って、前記中空の細長い管状部材の前記外側壁の前記実質的に透明な部分に埋め込まれた有色ストライプと、を含む、管状イントロデューサーシース。
（２）  前記有色ストライプは、前記中空の細長い管状部材の周りを前記中空の細長い管状部材の前記長手方向軸に沿って渦を巻く、実施態様１に記載の管状イントロデューサーシース。
（３）  前記有色ストライプは、前記透明領域が前記管状イントロデューサーシースを通して目視点検を可能にするように十分に狭い幅を有する、実施態様１に記載の管状イントロデューサーシース。
（４）  前記中空の細長い管状部材の遠位端部分は先細である、実施態様１に記載の管状イントロデューサーシース。
（５）  血管内医療機器をカテーテルに挿入するためのシステムであって、
近位端と、遠位端と、前記近位端と前記遠位端との間に延在する長さと、外側壁と、長手方向軸と、長手方向の内部通路と、を有する中空の細長い管状イントロデューサーシースであって、前記外側壁は、主に実質的に透明な部分を有する、中空の細長い管状イントロデューサーシースと、
前記中空の細長い管状イントロデューサーシースの前記長さに沿って、前記中空の細長い管状イントロデューサーシースの前記外側壁の前記実質的に透明な部分に埋め込まれた有色ストライプと、
前記中空の細長い管状イントロデューサーシース内に取り外し可能に配置された血管内医療機器と、を含む、システム。
【００１８】
（６）  前記有色ストライプは、前記中空の細長い管状部材の周りを前記中空の細長い管状イントロデューサーシースの前記長手方向軸に沿って渦を巻く、実施態様５に記載のシステム。
（７）  前記有色ストライプは、前記透明領域が前記中空の細長い管状イントロデューサーシースを通して目視点検を可能にするように十分に狭い幅を有する、実施態様５に記載のシステム。
（８）  前記中空の細長い管状イントロデューサーシースの遠位端部分は先細である、実施態様５に記載のシステム。
【図１】
2014176651.tif 000003
【図２】
2014176651.tif 000004
【図３】
2014176651.tif 000005
【図４】
2014176651.tif 000006
【外国語明細書】
2014176651000001.pdf